(57)【特許請求の範囲】
【請求項１】
第１基板と、第１基板の上面に所定のパターンで形成されるアドレス電極と、前記第１基板の上面に形成されてアドレス電極を埋込む第１誘電体層と、第１誘電体層に設置されて放電空間を区画する隔壁と、前記隔壁により区画された放電空間に塗布される赤、緑、青色の蛍光体層と、前記第１基板と結合されて放電空間を形成する透明な第２基板と、前記第２基板の内面に形成され、前記アドレス電極と所定角度をなす第１、２電極が一組でなされた複数対の維持電極と、前記第２基板に形成されて維持電極を埋込む第２誘電体層とを含み、
前記隔壁は、前記アドレス電極と並んで不連続的に形成される複数の単位隔壁から構成され、
前記各単位隔壁は、その断面が台形であって、かつ、その端部に所定角度で延びる補助隔壁部を有し、さらに、前記隔壁によって区画される放電空間の両側に一対の前記維持電極を構成する前記第１電極および前記第２電極が位置するように前記第１電極と前記第２電極との間に形成されていることを特徴とするプラズマ表示装置。
【請求項２】
前記維持電極間にブラックマトリックス層が形成されたことを特徴とする請求項１に記載のプラズマ表示装置。
【請求項３】
前記ブラックマトリックス層は前記隔壁が切除された部位と対応する領域に形成されたことを特徴とする請求項２に記載のプラズマ表示装置。
【請求項４】
前記単位隔壁がデルタ型で配列されたことを特徴とする請求項１に記載のプラズマ表示装置。
【請求項５】
前記単位隔壁の補助隔壁部は、同一放電空間を形成する隣接した単位隔壁の補助隔壁部と接触していないことを特徴とする請求項１に記載のプラズマ表示装置。
【発明の詳細な説明】
【０００１】
【発明の属する技術分野】
本発明はプラズマ表示素子に係り、より詳細には画素間のクロストークを防止する隔壁の構造が改善された基板及びこれを用いたプラズマ表示装置に関する。
【０００２】
【従来の技術】
プラズマ表示装置は蛍光物質や特殊ガスを励起させることによって光を発生させ、この光を用いて画像を形成するものであって、交流型(AC  type)と直流型(DC  type)及び混合型(hybrid  type)とに大別される。
【０００３】
このようなプラズマ表示素子中で交流型プラズマ表示装置は、基板と、前記背面基板上に形成されたアドレス電極と、このアドレス電極が形成された基板上に形成された下部誘電体層と、この下部誘電体層上に形成されて放電距離を維持させセル間の電気的光学的クロストークを防止する隔壁を具備する。
【０００４】
そして、前記隔壁が形成された基板と結合されるものであって、その下面に前記アドレス電極と直交するように形成された所定パターンの電極と、これらが埋込まれる上部誘電体層と、誘電体層の上面に形成されたMgO膜が形成された前面板を具備し、前記隔壁により区画された放電空間内の少なくとも一側には蛍光体層が形成される。
【０００５】
前述したように構成されたプラズマ表示素子は、各電極に所定の電圧が印加されるにつれて陽イオンが誘電体層に集積され、このイオンと前記電極中で一電極とアドレス電極との間で予備放電が生じて荷電粒子が形成され、前面板に形成された電極間で主放電が生じる。前記主放電時に生じる紫外線(以下、母光線という)により蛍光体層が励起されて画像を形成する。
【０００６】
前述したように作動するプラズマ表示装置において、放電空間を区画する隔壁は多様な形状を有するが、米国特許５,７９３,１５８号にストライプ状で形成された隔壁が開示されている。このようなストライプ状の隔壁は全空間に塗布された蛍光体層が３面(下面と隔壁の側面)にのみ塗布されるので発光効率が相対的に低くて、セル間(アドレス電極の形成方向)にクロストークが生じる問題点が内在されている。
【０００７】
特開平１０-１４４２２５号に開示されたプラズマディスプレイ装置には格子状の隔壁を採用している。このような隔壁は放電空間の四面を包んでいるのでプラズマ表示装置の製造時に隔壁により区画された放電空間からの排気と、放電空間内への放電ガスの注入が円滑になされなくなる。
【０００８】
格子状の隔壁の場合に排気のために隔壁の上面に誘電体などを用いて突起を形成することによって隔壁と前面板との間を置いて排気が円滑になされるようにしている。しかしこのように隔壁の上面に突起を形成することは、別の突起形成工程を追加せねばならなく、隔壁と前面板との間に形成された間隙を通じて電荷が移動することによって誤放電が生じる問題点がある。
【０００９】
米国特許５,９６７,８７２号に開示されたプラズマ表示装置の隔壁はジグザグ、蛇行で形成されて相対的に広い放電セルと狭い連結部を有するチャンネルが形成される。このような隔壁は放電空間をある程度は広げられるが、画素間のクロストーク問題を根本的に解決できない。
【００１０】
【発明が解決しようとする課題】
本発明は前記問題点を解決するためのものであって、蛍光体層の塗布面積を広げて発光輝度を高め、排ガスの排出効率を向上させられる隔壁を有する基板及びこれを用いたプラズマ表示装置を提供することにその目的がある。
【００１１】
【課題を解決するための手段】
前記目的を達成するために、本発明のプラズマ表示装置は、第１基板と、第１基板の上面に所定のパターンで形成されるアドレス電極と、前記第１基板の上面に形成されてアドレス電極を埋込む第１誘電体層と、第１誘電体層に設置されて放電空間を区画する隔壁と、前記隔壁により区画された放電空間に塗布される赤、緑、青色の蛍光体層と、前記第１基板と結合されて放電空間を形成する透明な第２基板と、前記第２基板の内面に形成され、前記アドレス電極と所定角度をなす第１、２電極が一組でなされた複数対の維持電極と、前記第２基板に形成されて維持電極を埋込む第２誘電体層とを含み、前記隔壁は、前記アドレス電極と並んで不連続的に形成される複数の単位隔壁から構成され、前記各単位隔壁は、その断面が台形であって、かつ、その端部に所定角度で延びる補助隔壁部を有し、さらに、前記隔壁によって区画される放電空間の両側に一対の前記維持電極を構成する前記第１電極および前記第２電極が位置するように前記第１電極と前記第２電極との間に形成されていることを特徴とする。
【００１４】
本発明において、単位隔壁間には前記維持電極と並んだ方向にブラックマトリックス層が形成されたことを特徴とする。
【００１５】
【発明の実施の形態】
以下、添付した図面を参照して本発明の望ましい実施の形態に対して詳細に説明する。
【００１６】
図１には、本発明に係る隔壁が形成された基板を含むプラズマ表示装置の一実施の形態を示した。
【００１７】
図示したように本発明に係るプラズマ表示装置１０は、第１基板１１と、この第１基板１１の上面に所定のパターンで形成されたアドレス電極１２と、この第１基板１１上に形成されて前記アドレス電極１２を埋込む第１誘電体層１３とを含む。前記アドレス電極１２は所定の幅を有し相並んだストライプ状で形成される。前記アドレス電極１２の設置は前記実施の形態により限定はされない。
【００１８】
そして前記アドレス電極１２間の第１誘電体層１３にはアドレス電極１２と並んだ方向に放電空間を区画する隔壁２０が不連続的に形成される。
【００１９】
前記隔壁２０は、図１及び図２に示したようにアドレス電極１２と並んだ方向に不連続的に形成される複数個の単位隔壁２１を含む。前記単位隔壁２１の両端部には単位隔壁２１の長さ方向に対して所定の角度、すなわち、直角、鋭角または鈍角をなしながら両側に延びる補助隔壁部２１a、２１aを含む。このように補助隔壁部２１a、２１aを有する単位隔壁２１はその形状が‘工’状に形成される。ここで、前記単位隔壁２１の両端部に形成された補助隔壁部２１a、２１aは隣接する単位隔壁２１'の補助隔壁部２１a'、２１a'と接触しない。
【００２０】
図３には単位隔壁よりなされた隔壁３０の他の実施の形態を示した。
【００２１】
図示したように単位隔壁３１の配列が隔壁３０の長さ方向に配列された単位隔壁３１間の両側に放電空間を形成できるように単位隔壁３２、３３が配列される。すなわち、単位隔壁３１、３２、３３がデルタ構造をなすように配列される。
【００２２】
前記隔壁３０をなす単位隔壁３１、３２、３３の形状及びこれらの配列は前記実施の形態により限定されず多様な形態に変形可能である。変形実施の形態の場合、隔壁は必ず不連続的で形成されるべきで隔壁３０の配列方向と直角をなす方向に補助隔壁部３１a、３２a、３３a間は離隔されねばならない。
【００２３】
前記のように隔壁２０、３０が形成された第１基板１１は、図１に示したように透明な第２基板４０と結合されて空間を密閉するが、前記第２基板４０の内面には前記アドレス電極１２と直交する方向に透明な導電性材質でなされ、第１、２電極４１a、４１bが一組をなす複数の維持電極４１が形成される。
【００２４】
前記第１、２電極４１a、４１bにはライン抵抗を減らすためにバス電極４１c、４１dが各々第１、２電極を従って形成される。前記バス電極４１c、４１dは銀、銀合金、アルミニウムのような金属よりなされ、前記第１、２電極４１a、４１dの幅より非常に狭い幅で形成される。
【００２５】
前記第２基板に形成される維持電極は前記実施の形態により限定されない。
【００２６】
すなわち、図４に示したように、維持電極５０は隔壁２０をなす単位隔壁２１の補助隔壁部２１aと並んだ方向に銀、銀合金よりなされた第１、２金属電極５１、５２と、この第１、２金属電極５１、５２から放電空間に延び、透明な導電性材質でなされた突出電極５１a、５２ａよりなされる。
【００２７】
一方、図５に示したように維持電極６０は相互平行して電気的に接続された複数のサブ金属電極６１a、６２aより各々なされた第１、２電極６１、６２よりなされる。
【００２８】
そして前述したように構成された維持電極間には前記維持電極と並んだ方向にブラックマトリックス層７０が形成される。このブラックマトリックス層７０の形成部位は前記単位隔壁の不連続部、すなわち、切除された部位と対応する部位に形成することが望ましい。
【００２９】
前記のように維持電極とブラックマトリックス層が形成された維持電極の下面には第２誘電体層８０が形成されて前記維持電極とブラックマトリックス層７０を埋込む。前記第２誘電体層８０の上面には保護膜層９０が形成されるが、この保護膜層９０はMgOよりなされる。
【００３０】
前記単位隔壁により区画された空間の内面には各々赤、緑、青色の蛍光体層R、G、Bが形成されるが、この赤、緑、青色の蛍光体層は各々単位隔壁よりなされた隔壁の長さ方向と並んだ方向に形成されるか、図３に示したように赤、緑、青色の蛍光体層がデルタ構造を有する。
【００３１】
前述したように構成された本発明に係るプラズマ表示装置の作用を説明すれば次の通りである。
【００３２】
先ずアドレス電極１２と維持電極４１をなす第１、２電極４１a、４１b中の一電極に所定のパルス電圧が印加されれば、これら間にアドレス放電が生じて放電空間の内面に壁電荷が形成される。この時に生じた壁電荷は前記第１、２電極４１a、４１b間の誘電体層表面に充電される。
【００３３】
この状態で維持電極をなす第１、２電極４１a、４１bに電圧が印加されればこれら間で維持放電が生じて母光線が生じる。この維持放電のための放電開始電圧は前記隔壁間に充電された電荷により低められる。
【００３４】
前記のように選択された維持放電で発生した母光線は放電空間に塗布された蛍光体層を励起させて発光させる。この過程で前記母光線により励起される蛍光体層は、単位隔壁２１の本体及びこの端部に形成された補助隔壁部２１a、２１aにより区画された放電空間の内面に形成されるので、塗布面積が相対的に広くなって発光輝度を向上させうる。また放電セルは補助隔壁２１a、２１aにより区画されているので画素間のクロストークを防止できる。
【００３５】
また本発明のプラズマ表示装置は、隔壁２０が不連続的に形成され補助隔壁部２１a、２１aが隣接する補助隔壁部２１a'、２１a'と連結されていないのでガス排出が容易である。プラズマ表示装置のガス排出及び放電ガスの注入時に各ガスは断続された単位隔壁２１、２１'間を通じて各方向になされるのでガス排出効率と放電ガスの注入効率を向上させうる。
【００３６】
そして図３に示したように、単位隔壁の配列がデルタ構造よりなったプラズマ表示装置における蛍光体層の形成は赤、緑、青色の蛍光体R、G、Bがデルタの構造をなすように塗布されているのでより鮮明な画像の具現が可能である。
【００３７】
【発明の効果】
以上説明したように、本発明に係る隔壁が形成された基板とこの基板を用いたプラズマ表示装置は、蛍光体が放電空間の下面と単位隔壁の側面及び補助隔壁部の側面に塗布されることによって蛍光体層の塗布面積が広くなり、さらには発光輝度を向上させうる。また単位隔壁よりなされた隔壁は、放電空間でのガス排出がいろいろな方向でなされるようにしてガス排出効率を向上させうる利点を有する。
【００３８】
なお、本発明は図面に示した実施の形態を参考にして説明されたが、これは例示的なことに過ぎず、当該分野で通常の知識を有する者であれば、これより多様な変形及び実施の形態が可能である点を理解するはずである。したがって、本発明の技術的保護範囲は特許請求の範囲の技術的思想によって決まらねばならない。
【図面の簡単な説明】
【図１】本発明に係るプラズマ表示装置の分離斜視図。
【図２】第１基板に隔壁が形成された状態を示す斜視図。
【図３】第１基板に形成された隔壁の他の実施の形態を示す斜視図。
【図４】本発明に係るプラズマ表示装置の他の実施の形態を示す斜視図。
【図５】本発明に係るプラズマ表示装置のさらに他の実施の形態を示す斜視図。
【符号の説明】
１０  プラズマ表示装置
１１  第２基板
１２  アドレス電極
１３  第１誘電体層
２０  隔壁
２１  単位隔壁
２１'、２１a'  補助隔壁部
４０  第２基板
４１a、４１b  第１、２電極
４１c、４１d  バス電極
７０  ブラックマトリックス層
８０  第２誘電体層
９０  保護膜層
【図１】
0004251783.tif 000002
【図２】
0004251783.tif 000003
【図３】
0004251783.tif 000004
【図４】
0004251783.tif 000005
【図５】
0004251783.tif 000006